(57)【要約】      （修正有）【課題】二次電池が装填されていない通信端末を充電台に搭載しても、通信端末が異常動作してしまうことを防ぐ。【解決手段】二次電池から給電されて動作する通信端末と、通信端末が搭載されて二次電池を充電する充電台とを備え、通信端末は、二次電池に充電された電源で駆動する主機能部を有し、充電台は一対の充電端子を有し、通信端末は、二次電池の正極ＰＴが接続される正極側電極端子、二次電池の負極ＮＰが接続される第１、第２の負極側電極端子を有する接続端子部を備え、充電台の一対の充電端子のうち、一方の充電端子には接続端子部が有する正極側電極端子に接続される通信端末の一方の充電端子が、他方の充電端子には接続端子部が有する第１の負極側電極端子に接続される通信端末の他方の充電端子がそれぞれ接続され、通信端末は、接続端子部が有する第２の負極側電極端子の電圧レベルを監視し、主機能部への給電を制御する給電制御部を備える。【選択図】図１
2015139305.tif 000002
【特許請求の範囲】
【請求項１】
二次電池から給電されて動作する通信端末と、前記通信端末が搭載されて前記二次電池を充電する充電台とを備える給電システムであって、
前記通信端末は、前記二次電池に充電された電源で駆動する主機能部を有し、
前記充電台は、前記通信端末の一対の充電端子にそれぞれ接続される一対の充電端子を有し、
前記通信端末は、前記二次電池の正極が接続される正極側電極端子、前記二次電池の負極が接続される第１、第２の負極側電極端子を有する接続端子部を備え、
前記充電台が有する前記一対の充電端子のうち、一方の充電端子には前記接続端子部が有する前記正極側電極端子に接続される前記通信端末の一方の充電端子が、他方の充電端子には前記接続端子部が有する前記第１の負極側電極端子に接続される前記通信端末の他方の充電端子がそれぞれ接続され、
前記通信端末は、前記接続端子部が有する前記第２の負極側電極端子の電圧レベルを監視し、前記主機能部への給電を制御する給電制御部を備えることを特徴とする給電システム。
【請求項２】
二次電池から給電されて動作する通信端末と、前記通信端末が搭載されて前記二次電池を充電する充電台とを備える給電システムであって、
前記通信端末は、前記二次電池に充電された電源で駆動する主機能部を有し、
前記充電台は、前記通信端末の一対の充電端子にそれぞれ接続される一対の充電端子を有し、
前記通信端末は、前記二次電池の正極が接続される第１、第２の正極側電極端子、前記二次電池の負極が接続される負極側電極端子を有する接続端子部を備え、
前記充電台が有する前記一対の充電端子のうち、一方の充電端子には前記接続端子部が有する前記負極側電極端子に接続される前記通信端末の一方の充電端子が、他方の充電端子には前記接続端子部が有する前記第１の正極側電極端子に接続される前記通信端末の他方の充電端子がそれぞれ接続され、
前記通信端末は、前記接続端子部が有する前記第２の正極側電極端子の電圧レベルを監視し、前記主機能部への給電を制御する給電制御部を備えることを特徴とする給電システム。
【発明の詳細な説明】
【技術分野】
【０００１】
本発明は、充電台に搭載することで充電を行うことができる無線式の通信端末に用いられる給電システムに関する。
【背景技術】
【０００２】
従来から、充電台に搭載することで充電を行うことができるコードレス電話装置が知られている（例えば、特許文献１参照）。このコードレス電話装置は図４に示すように、電源用の二次電池Ｂ２を内蔵する移動電話機５と、この移動電話機５を搭載して二次電池Ｂ２に充電電流を供給する充電台６とを有している。
【０００３】
移動電話機５は、送受信兼用のアンテナＡ１と、送受話器、キー入力部、表示器等で構成され、アンテナＡ１を介して無線の送受信処理を行う無線送受信部５１と、各回路を制御するマイクロプロセッサなどを用いた制御部５２と、二次電池Ｂ２が装填される電池パック５３とを有している。また、移動電話機５の下部には、電池パックＴ５３の負極側電極端子Ｔ５３ａ及び制御部５２、無線送受信部５１の負極端子Ｔ５２ａ、Ｔ５１ａに接続される負極側充電端子Ｔ５４と、電池パックＴ５３の正極側電極端子Ｔ５３ｂ及び制御部５２、無線送受信部５１の正極端子５２ａ、５１ａに接続される正極側充電端子Ｔ５５とを有している。なお、正極側充電端子Ｔ５５と電池パックＴ５３の正極側電極端子Ｔ５３ｂとの間に逆流防止用ダイオードＤ２が接続されている。
【０００４】
充電台６は、移動電話機５に充電電流を供給する電源部６１と、上部に設けられ電源部６１の負極端子Ｔ６１ａに接続される負極側充電端子Ｔ６２と、上部に設けられ電源部６１の正極端子Ｔ６１ｂに接続される正極側充電端子Ｔ６３とを有している。
【０００５】
このように構成されたコードレス電話装置５０は、移動電話機５を充電台６に搭載すると、充電台６の一対の充電端子Ｔ６２、Ｔ６３はそれぞれ移動電話機５の一対の充電端子Ｔ５４、Ｔ５５に接触するので、充電電流は、充電台６の電源部６１から正極側充電端子Ｔ６３、正極側充電端子Ｔ５５を介して移動電話機５に入力される。したがって、この充電電流が電池パックＴ５３に装填された二次電池Ｂ２に供給されるので、当該二次電池Ｂ２を充電することができる。
【０００６】
また、電池パックＴ５３に二次電池Ｂ２が装填されている場合には、制御部５２及び無線送受信部５１に給電されるので、移動電話機５を動作させることができるが、電池パックＴ５３に二次電池Ｂ２が装填されていない場合には、制御部５２及び無線送受信部５１は給電されないので、移動電話機５を動作させることができなくなる。
【先行技術文献】
【特許文献】
【０００７】
【特許文献１】特開平７−１４３０５２
【発明の概要】
【発明が解決しようとする課題】
【０００８】
しかしながら、背景技術において説明したコードレス電話装置５０では、電池パックＴ５３に二次電池Ｂ２が装填されていない移動電話機５が充電台６に搭載されると、充電台６から移動電話機５の制御部５２及び無線送受信部５１に給電されて充電電圧を発生させてしまう場合があるので、当該移動電話機５が動作してしまう虞があった。この場合、一般的には、充電台６からの充電電流の供給は低電流で電流制限がかかっており、移動電話機５の動作電流ほどは流すことができないので、移動電話機５は、起動しようとしても途中で電流が足らずに電源が落ちるという現象を繰り返してしまうような異常動作を起こすことになる。
【０００９】
本発明は、このような従来の難点を解決するためになされたもので、電池パックとして機能する接続端子部に二次電池が装填されていない通信端末を充電台に搭載しても、当該通信端末が異常動作してしまうことを確実に防ぐことができる給電システムを提供することを目的する。
【課題を解決するための手段】
【００１０】
上述の目的を達成する本発明の第１の態様である給電システムは、二次電池から給電されて動作する通信端末と、通信端末が搭載されて二次電池を充電する充電台とを備える給電システムであって、通信端末は、二次電池に充電された電源で駆動する主機能部を有し、充電台は、通信端末の一対の充電端子にそれぞれ接続される一対の充電端子を有し、通信端末は、二次電池の正極が接続される正極側電極端子、二次電池の負極が接続される第１、第２の負極側電極端子を有する接続端子部を備え、充電台が有する一対の充電端子のうち、一方の充電端子には接続端子部が有する正極側電極端子に接続される通信端末の一方の充電端子が、他方の充電端子には接続端子部が有する第１の負極側電極端子に接続される通信端末の他方の充電端子がそれぞれ接続され、通信端末は、接続端子部が有する第２の負極側電極端子の電圧レベルを監視し、主機能部への給電を制御する給電制御部を備えるものである。
【００１１】
このような第１の態様である給電システムによれば、電池パックとして機能する接続端子部に二次電池が装填されている通信端末を充電台に搭載すると、第１、第２の負極側電極端子は二次電池の負極によりコモン（共通）となり、接続端子部に二次電池が装填されていない通信端末を充電台に搭載すると、第１、第２の負極側電極端子は互いに独立したアイソレーション（絶縁）がとれた端子となることから、給電制御部は第１、第２の負極側電極端子が何れの状態かを第２の負極側電極端子の電圧レベルに基づき主機能部への給電を制御することができる。したがって、接続端子部に二次電池が装填されていない通信端末を充電台に搭載した場合、第１、第２の負極側電極端子は互いに独立したアイソレーション（絶縁）がとれた端子となり、第２の負極側電極端子の電圧レベルが高レベルになると、主機能部が異常動作を起こさないように給電制御部は主機能部への給電を停止させる。また、接続端子部に二次電池が装填されている通信端末を充電台に搭載した場合、第１、第２の負極側電極端子は二次電池の負極によりコモン（共通）となり、第２の負極側電極端子の電圧レベルが低レベルになると、主機能部が動作するように給電制御部は主機能部へ給電させる。
【００１２】
また、上述の目的を達成する本発明の第２の態様である給電システムは、二次電池から給電されて動作する通信端末と、通信端末が搭載されて二次電池を充電する充電台とを備える給電システムであって、通信端末は、二次電池に充電された電源で駆動する主機能部を有し、充電台は、通信端末の一対の充電端子にそれぞれ接続される一対の充電端子を有し、通信端末は、二次電池の正極が接続される第１、第２の正極側電極端子、二次電池の負極が接続される負極側電極端子を有する接続端子部を備え、充電台が有する一対の充電端子のうち、一方の充電端子には接続端子部が有する負極側電極端子に接続される通信端末の一方の充電端子が、他方の充電端子には接続端子部が有する第１の正極側電極端子に接続される通信端末の他方の充電端子がそれぞれ接続され、通信端末は、接続端子部が有する第２の正極側電極端子の電圧レベルを監視し、主機能部への給電を制御する給電制御部を備えるものである。
【００１３】
このような第２の態様である給電システムによれば、電池パックとして機能する接続端子部に二次電池が装填されている通信端末を充電台に搭載すると、第１、第２の正極側電極端子は二次電池の正極によりコモン（共通）となり、接続端子部に二次電池が装填されていない通信端末を充電台に搭載すると、第１、第２の正極側電極端子は互いに独立したアイソレーション（絶縁）がとれた端子となることから、給電制御部は第１、第２の正極側電極端子が何れの状態かを第２の正極側電極端子の電圧レベルに基づき主機能部への給電を制御することができる。したがって、接続端子部に二次電池が装填されていない通信端末を充電台に搭載した場合、第１、第２の正極側電極端子は互いに独立したアイソレーション（絶縁）がとれた端子となり、第２の正極側電極端子の電圧レベルが高レベルになると、主機能部が異常動作を起こさないように給電制御部は主機能部への給電を停止させる。また、接続端子部に二次電池が装填されている通信端末を充電台に搭載した場合、第１、第２の正極側電極端子は二次電池の負極によりコモン（共通）となり、第２の正極側電極端子の電圧レベルが低レベルになると、主機能部が動作するように給電制御部は主機能部へ給電させる。
【発明の効果】
【００１４】
本発明の給電システムによれば、電池パックとして機能する接続端子部に二次電池が装填されていない通信端末を充電台に搭載しても、当該通信端末が異常動作してしまうことを確実に防ぐことができるようになった。
【図面の簡単な説明】
【００１５】
【図１】本発明の給電システムが適用される無線電話装置の好ましい実施の形態例を示す回路ブロック図で、（Ａ）は第１実施例、（Ｂ）は第２実施例である。
【図２】本発明の給電システムが適用される無線電話装置の他の好ましい実施の形態例を示す回路ブロック図で、（Ａ）は第１実施例、（Ｂ）は第２実施例である。
【図３】本発明の給電システムが適用される無線電話装置の他の好ましい実施の形態例を示す回路ブロック図で、（Ａ）は図１（Ｂ）の第２実施例に基づく他の実施例、（Ｂ）は図２（Ｂ）の第２実施例に基づく他の実施例である。
【図４】従来の無線電話装置を示す回路ブロック図である。
【発明を実施するための形態】
【００１６】
以下、本発明の給電システムにおける好ましい実施の形態例について、図面を参照して説明する。図１は、本発明の給電システムが適用される無線電話装置の回路ブロック図を示している。
【００１７】
本発明の給電システムが適用される無線電話装置は図１（Ａ）、（Ｂ）に示すように、二次電池Ｂ１から給電されて動作する通信端末２Ａ、２Ｂと、通信端末２Ａ、２Ｂが搭載されて二次電池Ｂ１を充電する充電台３とを備えている。なお、二次電池Ｂ１は、長手方向の一方側に正極ＰＴ、他方側に負極ＮＴが配置されている。
【００１８】
通信端末２Ａ、２Ｂは、二次電池Ｂ１に充電された電源で駆動する主機能部２０を有している。この主機能部２０は、電波を受信するアンテナ、アンテナを介して無線の送受信を行う無線送受信回路、及び各種の情報をキー入力するキー入力部（図示せず。）等を有する機器機能部２１と、機器機能部２１の各機能を制御するマイクロプロセッサなどを用いた制御部２２とを有している。
【００１９】
このような無線電話装置１Ａ、１Ｂとしては、ブラウザフォン、スマートフォン等を含む携帯電話装置、ＰＨＳ（Personal Handy-phone System）端末、ＰＤＡ（Personal Digital Assistant）端末、さらにはインターホンシステムの無線子機などが該当する。
【００２０】
また、通信端末２Ａ、２Ｂは、二次電池Ｂ１の正極ＰＴが接続される正極側電極端子Ｔ１１と、二次電池Ｂ１の負極ＮＴが接続される第１、第２の負極側端子Ｔ１２、Ｔ１３とを有する接続端子部Ｔ１を備えている。この接続端子部Ｔ１は、二次電池Ｂ１を着脱自在に装填できるように電池ホルダとして構成されている。また、正極側電極端子Ｔ１１及び第１、第２の負極側端子Ｔ１２、Ｔ１３は、導電性材料で形成され、そのうち、第１、第２の負極側端子Ｔ１２、Ｔ１３は、二次電池Ｂ１を接続端子部Ｔ１に装填後、容易には外れないように弾性体で形成されている。
【００２１】
さらに、通信端末２Ａ、２Ｂは、接続端子部Ｔ１が有する第２の負極側端子Ｔ１３の電圧レベルを監視し、主機能部２１への給電を制御する給電制御部を備えている。
【００２２】
この給電制御部は例えば図１（Ａ）に示す無線電話装置１Ａの通信端末２Ａでは、第２の負極側端子Ｔ１３の電圧レベルを検出する検出抵抗Ｒ１と、制御部２２に設けられ検出抵抗Ｒ１が検出した電圧レベルが入力される端子電圧検出ポートＰ１と、制御部２２からの制御信号に基づき伝送路（負極側ラインＬ１、正極側ラインＬ２）を接続したり遮断したりスイッチング動作するスイッチＳ１とから構成されている。
【００２３】
このような通信端末２Ａの下部には、接続端子部Ｔ１の第１の負極側端子Ｔ１２及び制御部２２、機器機能部２１の負極端子Ｔ２２ａ、Ｔ２１ａが順次に負極側ラインＬ１を介して接続される負極側充電端子Ｔ２３と、接続端子部Ｔ１の正極側電極端子Ｔ１１及び制御部２２、機器機能部２１の正極端子Ｔ２２ｂ、Ｔ２１ｂが順次に正極側ラインＬ２を介して接続される正極側充電端子Ｔ２４とを有している。なお、正極側充電端子Ｔ２４と、正極側ラインＬ２に対する正極側電極端子Ｔ１１の接続点との間に逆流防止用ダイオードＤ１が接続されている。
【００２４】
給電制御部の検出抵抗Ｒ１の一端は、逆流防止用ダイオードＤ１と、正極側ラインＬ２に対する正極側電極端子Ｔ１１の接続点との間に接続され、この検出抵抗Ｒ１の他端は、端子電圧検出ポートＰに接続されている。また、検出抵抗Ｒ１の他端と端子電圧検出ポートＰとの接続点には第２の負極側端子Ｔ１３が接続されている。
【００２５】
給電制御部のスイッチＳ１は、正極側ラインＬ２に対する正極側電極端子Ｔ１１の接続点と、正極側ラインＬ２に対する制御部２２の正極端子Ｔ２２ｂの接続点との間に接続され、このスイッチＳ１の制御端子Ｔ２５は、制御部２２に設けられた制御端子Ｔ２２ｃに制御信号を伝送可能に接続されている。
【００２６】
また、給電制御部は図１（Ｂ）に示す無線電話装置１Ｂでは、制御部２２及び機器機能部２１への給電を制御するＰＮＰトランジスタＴｒ１と、ＰＮＰトランジスタＴｒ１のベース、エミッタ間の電圧レベルを調整する抵抗Ｒ２と、第２の負極側端子Ｔ１３の電圧レベルを調整する抵抗Ｒ３とから構成されている。なお、この無線電話装置１Ｂは図１（Ａ）に示す無線電話装置１Ａとは、給電制御部以外は同一構成なので、以下の記述において図１（Ａ）と重複する内容は、同一の参照番号または参照符号で表示し、説明を省略する。
【００２７】
給電制御部の抵抗Ｒ２の一端は、正極側ラインＬ２に対する正極側電極端子Ｔ１１の接続点と、正極側ラインＬ２に対するＰＮＰトランジスタＴｒ１のエミッタの接続点との間に接続され、この抵抗Ｒ２の他端は、ＰＮＰトランジスタＴｒ１のベースに接続されている。なお、図１（Ｂ）において、接続端子部Ｔ１は便宜上、第１の負極側端子Ｔ１２が左側に、第２の負極側端子Ｔ１３が右側に配置されている。
【００２８】
給電制御部のＰＮＰトランジスタＴｒ１は、ベースが抵抗Ｒ２の他端に接続され、エミッタが正極側ラインＬ２に対する抵抗Ｒ２の一端の接続点に接続され、コレクタが正極側ラインＬ２に対する制御部２２の正極端子Ｔ２２ｂの接続点に接続されている。
【００２９】
また、給電制御部は、ＰＮＰトランジスタＴｒ１のベース及び抵抗Ｒ２の他端との接続点と、第２の負極側端子Ｔ１３との間に抵抗Ｒ３が設けられている。
【００３０】
充電台３は図１（Ａ）、（Ｂ）に示すように、通信端末２Ａ、２Ｂに充電電流を供給する電源部３１と、上部に設けられ電源部３１の負極端子Ｔ３１ａに接続される負極側充電端子Ｔ３２と、上部に設けられ電源部３１の正極端子Ｔ３１ｂに接続される正極側充電端子Ｔ３３とを有している。
【００３１】
このように構成された本発明の給電システムが適用される無線電話装置１Ａの接続端子Ｔ１に二次電池Ｂ１が装填されている場合、装填されていない場合の給電動作について、以下、説明する。
【００３２】
接続端子部Ｔ１に二次電池Ｂ１が装填されている通信端末２Ａを充電台３に搭載すると、第１、第２の負極側電極端子Ｔ１２、Ｔ１３は二次電池Ｂ１の負極によりコモン（共通）となり、接続端子部Ｔ１に二次電池Ｂ１が装填されていない通信端末２Ａを充電台３に搭載すると、第１、第２の負極側電極端子Ｔ１２、Ｔ１３は互いに独立したアイソレーション（絶縁）がとれた端子となることから、給電制御部は第１、第２の負極側電極端子Ｔ１２、Ｔ１３が何れの状態かを第２の負極側電極端子Ｔ１３の電圧レベルに基づき主機能部２０への給電を制御することができる。
【００３３】
具体的には、接続端子Ｔ１に二次電池Ｂ１が装填されている場合に通信端末２Ａを充電台３に搭載すると、接続端子部Ｔ１が有する第１、第２の負極側端子Ｔ１２、Ｔ１３は二次電池Ｂ１の負極ＮＴよりコモン（共通）になることから、検出抵抗Ｒ１で検出された第２の負極側端子Ｔ１３の電圧レベルが低レベルになるので、制御部２２はスイッチＳ１をスイッチング動作させて正極側ラインＬ２を接続する。したがって、主機能部２０の機器機能部２１及び制御部２２へ給電することができる。
【００３４】
これに対して接続端子Ｔ１に二次電池Ｂ１が装填されていない場合に通信端末２Ａを充電台３に搭載すると、第１、第２の負極側電極端子Ｔ１２、Ｔ１３は互いに独立したアイソレーション（絶縁）がとれた端子となりことから、第２の負極側電極端子Ｔ１３の電圧レベルが高レベルになるので、制御部２２はスイッチＳ１をスイッチング動作させて正極側ラインＬ２を遮断する。したがって、主機能部２０が異常動作を起こさないように主機能部２０への給電を停止させることができる。
【００３５】
次に、本発明の給電システムが適用される無線電話装置１Ｂの接続端子Ｔ１に二次電池Ｂ１が装填されている場合、装填されていない場合の給電動作について、以下、説明する。
【００３６】
無線電話装置１Ａと同様に、接続端子部Ｔ１に二次電池Ｂ１が装填されている通信端末２Ａを充電台３に搭載すると、第１、第２の負極側電極端子Ｔ１２、Ｔ１３は二次電池Ｂ１の負極によりコモン（共通）となり、接続端子部Ｔ１に二次電池Ｂ１が装填されていない通信端末２Ａを充電台３に搭載すると、第１、第２の負極側電極端子Ｔ１２、Ｔ１３は互いに独立したアイソレーション（絶縁）がとれた端子となることから、給電制御部は第１、第２の負極側電極端子Ｔ１２、Ｔ１３が何れの状態かを第２の負極側電極端子Ｔ１３の電圧レベルに基づき主機能部２０への給電を制御することができる。
【００３７】
具体的には、接続端子Ｔ１に二次電池Ｂ１が装填されている場合に通信端末２Ａを充電台３に搭載すると、接続端子部Ｔ１が有する第１、第２の負極側端子Ｔ１２、Ｔ１３は二次電池Ｂ１の負極ＮＴよりコモン（共通）になることから、ＰＮＰトランジスタＴｒ１のベース電圧が低レベルとなり、ベース、エミッタ間の電圧レベルが高レベルになるので、ＰＮＰトランジスタＴｒ１がＯＮとなり、主機能部２０の機器機能部２１及び制御部２２へ給電することができる。
【００３８】
これに対して接続端子Ｔ１に二次電池Ｂ１が装填されていない場合に通信端末２Ａを充電台３に搭載すると、第１、第２の負極側電極端子Ｔ１２、Ｔ１３は互いに独立したアイソレーション（絶縁）がとれた端子となりことから、ＰＮＰトランジスタＴｒ１のベース、エミッタ間の電圧レベルが低レベルになるので、ＰＮＰトランジスタＴｒ１は主機能部２０が異常動作を起こさないように主機能部２０への給電を停止させることができる。
【００３９】
なお、上述した本発明の給電システムが適用される無線電話装置１Ａ、１Ｂの通信端末２は、接続端子部Ｔ１に二次電池Ｂの正極ＰＴが接続される正極側端子Ｔ１１と、二次電池Ｂの負極ＮＴが接続される第１、第２の負極側電極端子Ｔ１２、Ｔ１３とを有していたが、これに限らず、図２（Ａ）、（Ｂ）に示すように、接続端子部Ｔ４０に二次電池Ｂの正極ＰＴが接続される第１、第２の正極側端子Ｔ４１、Ｔ４２と、二次電池Ｂ１の負極ＮＴが接続される負極側電極端子Ｔ４３とを有していてもよい。
【００４０】
このような接続端子部Ｔ４０を備えた本発明の給電システムが適用される無線電話装置１０Ａ、１０Ｂは図２（Ａ）、（Ｂ）に示すような構成であるが、以下の記述において図１（Ａ）、（Ｂ）と重複する内容は、同一の参照番号または参照符号で表示し、説明を省略する。
【００４１】
図１（Ａ）に示す無線電話装置１Ａと内容が重複する図２（Ａ）に示す無線電話装置１０Ａの通信端末２Ａの給電制御部は、第２の正極側端子Ｔ４２の電圧レベルを検出する検出抵抗Ｒ４を備えている。したがって、端子電圧検出ポートＰ１は、検出抵抗Ｒ４が検出した電圧レベルが入力されることになる。
【００４２】
給電制御部の検出抵抗Ｒ４の一端は、負極側ラインＬ１に接続され、この検出抵抗Ｒ４の他端は、端子電圧検出ポートＰに接続されている。また、検出抵抗Ｒ４の他端と端子電圧検出ポートＰとの接続点には第２の正極側端子Ｔ４２が接続されている。
【００４３】
図１（Ｂ）に示す無線電話装置１Ｂと内容が重複する図２（Ｂ）に示す無線電話装置１０Ｂの通信端末２Ｂの給電制御部は、制御部２２及び機器機能部２１への給電を制御するＰＮＰトランジスタＴｒ２と、ＰＮＰトランジスタＴｒ２をオン、オフ動作させるＮＰＮトランジスタＴｒ３と、ＰＮＰトランジスタＴｒ２のベース、エミッタ間の電圧レベルを調整する抵抗Ｒ５と、ＮＰＮトランジスタＴｒ３のコレクタ電圧を調整する抵抗Ｒ６と、第２の正極側端子Ｔ４２及び正極側ラインＬ２の間に設けられ、ＮＰＮトランジスタＴｒ３のベース電圧を調整する分圧抵抗Ｒ７、Ｒ８とから構成されている。
【００４４】
給電制御部の検出抵抗Ｒ５の一端は、正極側ラインＬ２に対する第１の正極側電極端子Ｔ４１の接続点と、正極側ラインＬ２に対するＰＮＰトランジスタＴｒ２のエミッタの接続点との間に接続され、この検出抵抗Ｒ５の他端は、抵抗Ｒ６の一端に接続されている。なお、図２（Ｂ）において、接続端子部Ｔ４０は便宜上、第１の正極側電極端子Ｔ４１が左側に、第２の正極側電極端子Ｔ４２が右側に配置されている。
【００４５】
給電制御部のＰＮＰトランジスタＴｒ２は、ベースが抵抗Ｒ５の他端に接続され、エミッタが正極側ラインＬ２に対する抵抗Ｒ５の一端の接続点に接続され、コレクタが正極側ラインＬ２に対する制御部２２の正極端子Ｔ２２ｂの接続点に接続されている。
【００４６】
給電制御部のＮＰＮトランジスタＴｒ３は、ベースが分圧抵抗Ｒ７の分圧点に接続され、エミッタが負極側ラインＬ１に接続され、コレクタが抵抗Ｒ６の他端に接続されている。
【００４７】
このように構成された本発明の給電システムが適用される無線電話装置１０Ａの接続端子Ｔ４０に二次電池Ｂ１が装填されている場合、装填されていない場合の給電動作について、以下、説明する。
【００４８】
接続端子部Ｔ４０に二次電池Ｂ１が装填されている通信端末２Ａを充電台３に搭載すると、第１、第２の正極側電極端子Ｔ４１、Ｔ４２は二次電池Ｂ１の正極によりコモン（共通）となり、接続端子部Ｔ４０に二次電池Ｂ１が装填されていない通信端末２Ａを充電台３に搭載すると、第１、第２の正極側電極端子Ｔ４１、Ｔ４２は互いに独立したアイソレーション（絶縁）がとれた端子となることから、給電制御部は第１、第２の正極側電極端子Ｔ４１、Ｔ４２が何れの状態かを第２の正極側電極端子Ｔ４２の電圧レベルに基づき主機能部２０への給電を制御することができる。
【００４９】
具体的には、接続端子Ｔ４０に二次電池Ｂ１が装填されている場合に通信端末２Ａを充電台３に搭載すると、接続端子部Ｔ４０が有する第１、第２の負極側端子Ｔ４１、Ｔ４２は二次電池Ｂ１の正極ＰＴよりコモン（共通）になることから、検出抵抗Ｒ４で検出された第２の正極側端子Ｔ４２の電圧レベルが高レベルになるので、制御部２２はスイッチＳ１をスイッチング動作させて正極側ラインＬ２を接続する。したがって、主機能部２０の機器機能部２１及び制御部２２へ給電することができる。
【００５０】
これに対して接続端子Ｔ１に二次電池Ｂ１が装填されていない場合に通信端末２Ａを充電台３に搭載すると、第１、第２の正極側電極端子Ｔ４１、Ｔ４２は互いに独立したアイソレーション（絶縁）がとれた端子となりことから、第２の正極側電極端子Ｔ４２の電圧レベルが低レベルになるので、制御部２２はスイッチＳ１をスイッチング動作させて正極側ラインＬ２を遮断する。したがって、主機能部２０が異常動作を起こさないように主機能部２０への給電を停止させることができる。
【００５１】
次に、本発明の給電システムが適用される無線電話装置１０Ｂの接続端子Ｔ４０に二次電池Ｂ１が装填されている場合、装填されていない場合の給電動作について、以下、説明する。
【００５２】
無線電話装置１０Ａと同様に、接続端子部Ｔ４０に二次電池Ｂ１が装填されている通信端末２Ａを充電台３に搭載すると、第１、第２の正極側電極端子Ｔ４１、Ｔ４２は二次電池Ｂ１の負極によりコモン（共通）となり、接続端子部Ｔ４０に二次電池Ｂ１が装填されていない通信端末２Ａを充電台３に搭載すると、第１、第２の正極側電極端子Ｔ４１、Ｔ４２は互いに独立したアイソレーション（絶縁）がとれた端子となることから、給電制御部は第１、第２の正極側電極端子Ｔ４１、Ｔ４２が何れの状態かを第２の正極側電極端子Ｔ４２の電圧レベルに基づき主機能部２０への給電を制御することができる。
【００５３】
具体的には、接続端子Ｔ４０に二次電池Ｂ１が装填されている場合に通信端末２Ａを充電台３に搭載すると、接続端子部Ｔ４０が有する第１、第２の正極側端子Ｔ４１、Ｔ４２は二次電池Ｂ１の正極ＰＴよりコモン（共通）になることから、ＮＰＮトランジスタＴｒ３のベース電圧が高レベルになることによりＰＮＰトランジスタＴｒ２のベース、エミッタ間の電圧レベルが高レベルになるので、ＰＮＰトランジスタＴｒ２から主機能部２０の機器機能部２１及び制御部２２へ給電することができる。
【００５４】
これに対して接続端子Ｔ１に二次電池Ｂ１が装填されていない場合に通信端末２Ａを充電台３に搭載すると、第１、第２の正極側電極端子Ｔ４１、Ｔ４２は互いに独立したアイソレーション（絶縁）がとれた端子となりことから、ＮＰＮトランジスタＴｒ３のベース電圧が低レベルになることによりＰＮＰトランジスタＴｒ２のベース、エミッタ間の電圧レベルが低レベルになるので、ＰＮＰトランジスタＴｒ２は主機能部２０が異常動作を起こさないように主機能部２０への給電を停止させることができる。
【００５５】
なお、上述した本発明の給電システムが適用される無線電話装置１Ａ、１０Ａは、給電制御部であるスイッチＳ１を、正極側ラインＬ２に対する第１の正極側電極端子Ｔ４１の接続点と、正極側ラインＬ２に対する制御部２２の正極端子Ｔ２２ｂの接続点との間に設けていたが、これに限らず、逆流防止用ダイオードＤ１と、正極側ラインＬ２に対する抵抗Ｒ４の一端の接続点との間に設けても、図１（Ａ）に示す無線電話装置１Ａ、及び図２（Ａ）に示す無線電話装置１０Ａと同様の作用、効果を得ることができる。
【００５６】
また、無線電話装置１Ｂは、ＰＮＰトランジスタＴｒ１、抵抗Ｒ２及び抵抗Ｒ３から構成されている給電制御部が、正極側ラインＬ２に対する正極側電極端子Ｔ１１の接続点と、正極側ラインＬ２に対する制御部２２の正極端子Ｔ２２ｂの接続点との間に設けて、第２の負極側端子Ｔ１３の電圧レベルを監視していたが、これに限らず、ＰＮＰトランジスタＴｒ１、抵抗Ｒ２及び抵抗Ｒ３から構成されている給電制御部を図３（Ａ）に示すように、逆流防止用ダイオードＤ１と、正極側ラインＬ２に対する正極側電極端子Ｔ１１の接続点との間に設けた無線電話装置１００Ａでも、図１（Ｂ）に示す無線電話装置１Ｂと同様の作用、効果を得ることができる。
【００５７】
なお、この無線電話装置１００Ａは図１（Ｂ）に示す無線電話装置１Ａとは同一構成なので、同一の参照番号または参照符号で表示し、内容の説明を省略している。
【００５８】
また、無線電話装置１０Ｂは、ＰＮＰトランジスタＴｒ２、ＰＮＰトランジスタＴｒ３、抵抗Ｒ５、抵抗Ｒ６、及び分圧抵抗Ｒ７、Ｒ８から構成されている給電制御部が、正極側ラインＬ２に対する第１の正極側電極端子Ｔ４１の接続点と、正極側ラインＬ２に対する制御部２２の正極端子Ｔ２２ｂの接続点との間に設けて、第２の負極側端子Ｔ４２の電圧レベルを監視していたが、これに限らず、無線電話装置１０Ｂは、ＰＮＰトランジスタＴｒ２、ＰＮＰトランジスタＴｒ３、抵抗Ｒ５、抵抗Ｒ６、及び分圧抵抗Ｒ７、Ｒ８から構成されている給電制御部を図３（Ｂ）に示すように、逆流防止用ダイオードＤ１と、正極側ラインＬ２に対する正極側電極端子Ｔ１１の接続点との間に設けた無線電話装置１００Ｂでも、図２（Ｂ）に示す無線電話装置１０Ｂと同様の作用、効果を得ることができる。
【００５９】
このように上述した本発明の給電システムによれば、複雑な構成で基板実装が難しい電流検出回路や電流測定のプログラム等を使わずに簡易な機器構成で、接続端子部に二次電池が装填されていない通信端末を充電台に搭載しても、当該通信端末が異常動作してしまうことを確実に防ぐことができる。
【００６０】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００６１】
２……通信端末
２０……主機能部
３……充電台
Ｂ１……二次電池
ＰＴ……正極
ＮＴ……負極
Ｔ１……接続端子部
Ｔ１１……正極側電極端子
Ｔ１２、１３……第１、第２負極側電極端子
Ｔ４０……接続端子部
Ｔ４１、４２……第１、第２正極側電極端子
Ｔ４３……負極側電極端子
Ｒ１、Ｒ４……検出抵抗（給電制御部）
Ｐ１……端子電圧検出ポート（給電制御部）
Ｓ１……検出抵抗（給電制御部）
Ｔｒ１……ＰＮＰトランジスタ（給電制御部）
Ｒ２……抵抗（給電制御部）
Ｒ３……抵抗（給電制御部）
Ｔｒ２……ＰＮＰトランジスタ（給電制御部）
Ｔｒ３……ＮＰＮトランジスタ（給電制御部）
Ｒ５……抵抗（給電制御部）
Ｒ６……抵抗（給電制御部）
Ｒ７、Ｒ８……分圧抵抗（給電制御部）
【図１】
2015139305.tif 000003
【図２】
2015139305.tif 000004
【図３】
2015139305.tif 000005
【図４】
2015139305.tif 000006